(57)【特許請求の範囲】
【請求項１】
携帯通信機器（１０２、２０２、３０２）の少なくとも１つのメディアファイルを１以上の外部電子通信機器（３１２）と共有するための方法であって、
‐前記携帯通信機器（１０２、２０２、３０２）の制御ユニットが、無線通信により機器間で直接通信可能な外部電子通信機器を検知し、該検知した外部電子通信機器の内、ユーザーにより選択された前記外部電子通信機器（３１２）とペアリングを行う工程と（ステップ４０２）、
‐前記携帯通信機器（１０２、２０２、３０２）のメディアユニット（２１０、３１０）が、前記少なくとも１つのメディアファイルを生成する工程と（ステップ４０４）、
‐前記制御ユニットが、前記ペアリングされた外部電子通信機器の内、前記少なくとも１つのメディアファイルの生成時に、前記携帯通信機器（１０２、２０２、３０２）が前記無線通信により直接通信可能な外部電子通信機器（３１２）を検索する工程と（ステップ４０８）、
‐前記制御ユニットが、前記少なくとも１つのメディアファイルの生成時に、前記無線通信により、前記検索された外部電子通信機器（３１２）に、前記メディアファイルを配信する工程と（ステップ４１４）
を含むことを特徴とする方法。
【請求項２】
前記無線通信により機器間で直接通信可能な外部電子通信機器は、前記携帯通信機器からある半径内の領域にあることを特徴とする請求項１に記載の方法。
【請求項３】
前記ペアリングは、前記携帯通信機器（１０２、２０２、３０２）と前記ペアリングされる外部電子通信機器（３１２）間の接続開始を含み、前記配信する工程（ステップ４１４）は、前記開始された接続を介して前記メディアファイルを配信することを特徴とする請求項１に記載の方法。
【請求項４】
前記無線通信は、Bluetooth（登録商標）による無線通信であることを特徴とする請求項１に記載の方法。
【請求項５】
少なくとも１つのメディアファイルを１以上の外部電子通信機器（３１２）と共有するための携帯通信機器（１０２、２０２、３０２）であって、
‐前記１以上の外部電子通信機器（３１２）と、機器間で直接無線通信を行うための通信部（２０４、３０４）と、
‐前記少なくとも１つのメディアファイルを生成するためのメディアユニット（２１０、３１０）と、
‐前記通信部（２０４、３０４）を介して直接通信可能な外部電子通信機器を検知し、該検知した外部電子通信機器の内、ユーザーにより選択された前記外部電子通信機器（３１２）とペアリングを行い、前記ペアリングされた外部電子通信機器の内、前記少なくとも１つのメディアファイルの生成時に前記携帯通信機器（１０２、２０２、３０２）が前記通信部により直接通信可能な外部電子通信機器（３１２）を検索するための制御ユニット（２０８、３０８）とを有し、
前記制御ユニットは、前記少なくとも１つのメディアファイルの生成時に、前記通信部の無線通信により、前記検索された外部電子通信機器（３１２）に、前記メディアファイルを配信することを特徴とする携帯通信機器。
【請求項６】
前記通信部（２０４、３０４）は、Bluetooth（登録商標）により無線通信を行うことを特徴とする請求項５に記載の携帯通信機器（１０２、２０２、３０２）。
【請求項７】
前記携帯通信機器（１０２、２０２、３０２）は携帯電話であることを特徴とする請求項５に記載の携帯通信機器（１０２、２０２、３０２）。
【請求項８】
コンピュータに、請求項１乃至４のいずれか１項に記載の方法の各工程を実行させるためのプログラム。
【請求項９】
請求項８に記載のプログラムを格納したことを特徴とするコンピュータが読み取り可能な記憶媒体。
【発明の詳細な説明】
【技術分野】
【０００１】
本発明は、メディアファイルの共有に関する。特に、１つの携帯通信機器から電子通信機器に、メタ情報を有するメディアファイルに関連するリンクを少なくとも配信することに関する。
【背景技術】
【０００２】
例えば携帯電話の分野において、写真撮影やビデオクリップの記録は一般的なものになってきている。そのため、作成されるファイルの数は増加し、その一部はメディアファイルの形式で提供されている。
【０００３】
様々な観光地における写真撮影は、カメラマンよりもカメラマン以外の人々の関心の方が高いことが多い。写真に撮られた人々は、どのような写真が撮れたか、また自分がどのように写真に写っているかを気に掛けることが多い。また、写真を撮影した人々は、写真には写っていないものの、撮った写真を見ることを楽しみにする。
【０００４】
加えて、友人や家族といった知己の人々がどのように写真に写っているかを見ることは楽しいことである。また、他の人々に、新しい家、新しく購入した車、そのときに滞在しているリゾート、休暇中の飼い犬シルヴァンの出来事といったことを見せることも楽しいであろう。
【０００５】
このような理由から、恐らく多くの人々が写真に興味を持ち、また、写真を貰って取っておくことを好む。
【０００６】
例えば５人で画像をマニュアルで共有するのは時間が掛かり、面倒なことである。それぞれが異なる被写体の好みを持つために、共有は更に難しく、退屈な作業となる。５人全員がそれぞれ興味のある画像を実際に受け取ったことを確認するためには、現実では、各自が持っている画像をグループのメンバー全員と共有する必要がある。
【０００７】
このマニュアル共有は、例えば一緒に旅行した全ての友人に、写真又はフィルムのコピーを渡す動作を含む。上述したように共有は面倒で時間が掛かるため、結果的にごく少数の人しかファイルのコピーを受け取れなかったりする。画像は例えばＭＭＳメッセージ中で送ることもできる。しかし、撮影者は、どの写真を誰に送ったかを把握しておかなければならない。
【０００８】
観光地等で得たメディアファイルの共有を容易にする共有手順があると便利であろう。
【０００９】
従って、観光地等において、グループ内でメディアファイルを自動的に共有する手順を提供することが望まれている。
【発明の開示】
【００１０】
発明の要旨
従って、本発明は、グループ内でメディアファイルを自動的に共有する手順を提供するという問題の解決に向けられている。
【００１１】
これは、前記メディアファイルを取得した機器から届く範囲内にある選ばれたユーザーに、取得したメディアファイルを少なくとも配信することにより達成される。
【００１２】
従って、本発明の目的の１つは、メディアファイルを取得した機器から届く範囲内にある選ばれたユーザーと、取得した前記メディアファイルを少なくとも共有することである。
【００１３】
本発明の第１の様態によれば、この目的は、携帯通信機器の少なくとも１つのメディアファイルを１以上の外部電子通信機器と共有するための方法により達成され、当該方法は、
‐前記携帯通信機器の制御ユニットが、無線通信により機器間で直接通信可能な外部電子通信機器を検知し、該検知した外部電子通信機器の内、ユーザーにより選択された前記外部電子通信機器とペアリングを行う工程と、
‐前記携帯通信機器のメディアユニットが、前記少なくとも１つのメディアファイルを生成する工程と、
‐前記制御ユニットが、前記ペアリングされた外部電子通信機器の内、前記少なくとも１つのメディアファイルの生成時に、前記携帯通信機器が前記無線通信により直接通信可能な外部電子通信機器を検索する工程と、
‐前記制御ユニットが、前記少なくとも１つのメディアファイルの生成時に、前記無線通信により、前記検索された外部電子通信機器に、前記メディアファイルを配信する工程と
を含む。
【００１７】
本発明の第２の様態によれば、第１の様態の特徴を含む方法であって、前記無線通信により機器間で直接通信可能な外部電子通信機器は、前記携帯通信機器からある半径内の領域にある。
【００１９】
本発明の第３の様態によれば、第１の様態の特徴を含む方法であって、前記ペアリングは、前記携帯通信機器と前記ペアリングされる外部電子通信機器間の接続開始を含み、前記配信す工程は、前記開始された接続を介して前記メディアファイルを配信する。
【００２４】
本発明の第４の様態によれば、第１の様態の特徴を含む方法であって、前記無線通信は、Bluetooth（登録商標）による無線通信である。
【００２５】
本発明の第２の目的は、メディアファイルを取得した機器から届く範囲内にある選ばれたユーザーと、取得した前記メディアファイルを少なくとも共有するための携帯通信機器を提供することである。
【００２６】
本発明の第５の様態によれば、この目的は、少なくとも１つのメディアファイルを１以上の外部電子通信機器と共有するための携帯通信機器により達成され、当該機器は、
‐前記１以上の外部電子通信機器と、機器間で直接無線通信を行うための通信部と、
‐前記少なくとも１つのメディアファイルを生成するためのメディアユニットと、
‐前記通信部を介して直接通信可能な外部電子通信機器を検知し、該検知した外部電子通信機器の内、ユーザーにより選択された前記外部電子通信機器とペアリングを行い、前記ペアリングされた外部電子通信機器の内、前記少なくとも１つのメディアファイルの生成時に前記携帯通信機器が前記通信部により直接通信可能な外部電子通信機器を検索するための制御ユニットとを有し、
前記制御ユニットは、前記少なくとも１つのメディアファイルの生成時に、前記通信部の無線通信により、前記検索された外部電子通信機器に、前記メディアファイルを配信することを特徴とする。
【００３２】
本発明の第６の様態によれば、第５の様態の特徴を含む装置であって、前記通信部は、Bluetooth（登録商標）により無線通信を行うことを特徴とする。
【００３３】
本発明の第７の様態によれば、第５の様態の特徴を含む装置であって、前記携帯通信機器は携帯電話である。
【００３４】
本発明の第３の目的は、メディアファイルを取得した機器から届く範囲内にある選ばれたユーザーと、取得した前記メディアファイルを少なくとも共有するためのコンピュータプログラムを提供することである。
【００３５】
本発明の第８の様態によれば、この目的は、コンピュータに上記記載の方法の各工程を実行させるためのプログラムにより達成される。
【００４１】
本発明の第４の目的は、メディアファイルを取得した機器から届く範囲内にある選ばれたユーザーと、取得した前記メディアファイルを少なくとも共有するためのプログラムを格納した記憶媒体を提供することである。
【００４２】
本発明の第９の様態によれば、この目的は、上記記載のプログラムを格納したコンピュータが読み取り可能な記憶媒体により達成される。
【００４７】
本発明は、以下の利点を有する。
【００４８】
本発明の第１の側面によれば、選ばれた知己の人々の間で取得した画像を共有する処理が自動化され、高速化される。
【００４９】
本発明における上記第１の側面によれば、画像を取得したユーザーからある距離内において、前記画像は予め設定された友人全員に配信されるという更なる利点を有する。
【００５０】
本発明の第６の側面によれば、視点や関連情報の印象を交換する前に、画像に含まれるメタ情報から、誰が画像の撮影を行ったかに関する情報を取得し、取得した画像が誰に送られたかに関する情報とを読み出すことができるという利点を有する。
【００５１】
本発明の第７の側面によれば、メタ情報を画像に追加できることは、メタ情報タイプの一部が欠落することが多い為、画像を続けて見る場合に有利である。
【００５２】
なお、「含む／含んでいる」という言葉は、本明細書で使用された場合、言及された特徴、整数、工程又は構成の存在を特定するために用いられるが、これら以外の特徴、整数、工程、構成、又はこれらのグループの存在又は追加を排除するものではない。
【発明を実施するための最良の形態】
【００５３】
本発明の実施形態について、図面を参照して以下に詳細に説明する。
【００５４】
本発明は携帯通信機器、及び、携帯通信機器の少なくとも１つのメディアファイルを他の通信機器と共有するための方法及びシステムの供給に関する。
【００５５】
携帯電話の形態を有する携帯通信機器を示す図１を参照して、本発明に関する１つの着想について簡単に説明する。
【００５６】
カメラの形態を取る画像キャプチャ部１０４と表示部１０６とを備えた図１の携帯電話１０２を使用して、静止画を記録し、前記表示部１０６に表示することができる。
【００５７】
この画像キャプチャ部を備えた携帯通信機器の近辺にある電子通信機器に画像のコピーを送信することを容易にする方法を提供することが望まれている。
【００５８】
本発明の好適な実施形態によれば、ユーザー、即ち、撮影者からの入力データに基づいて、撮影者の携帯電話は旅行仲間の電子通信機器を検知し、電子通信機器のセットを作ることで達成することができる。ユーザーが画像を撮影した直後に、携帯電話はどの電子通信機器が該携帯電話の近辺にあるかを判断し、これらの通信機器のサブセットを定義する。そして、携帯電話はユーザーにより挿入されたテキストデータを画像のメタ情報に追加することで、ユーザーがテキストデータを画像に関連づけることができるようにする。その後、画像を取得した時又はそのすぐ後に、携帯電話の近辺にある電子通信機器の前記ユーザーのサブセットに対して、画像を配信する。
【００５９】
本発明の好適な実施形態における携帯通信機器を示す図２、電子通信機器に接続された携帯通信機器を示す図３、本発明の好適な実施形態における少なくとも１つのメディアファイルを共有する方法のフローチャートを示す図４を参照して、以下、本発明について更に詳細に説明する。
【００６０】
図２に、携帯通信機器２０２の概略を示す。携帯通信機器２０２は、無線通信部２０４、メモリ部２０６、画像キャプチャ部２１０、及び前記各部２０４、２０６、２１０が接続された制御部２０８を含む。
【００６１】
本発明の好適な一実施形態によれば、図２の無線通信部２０４はBluetooth（登録商標）無線技術ユニットである。
【００６２】
本発明の好適な一実施形態によれば、少なくとも１つのメディアファイルを共有する方法は、ステップ４０２において、機器と友人の機器との組を作る（ペアリングする）工程を含む。友人の機器とは電子通信機器のセットであり、ユーザーの携帯電話１０２とペアリングする。図３を参照すると、このペアリングは、ここではBluetooth（登録商標）無線技術ユニットであるユーザーの携帯電話３０２の無線通信部３０４と、友人の機器である他の通信機器３１２のBluetooth（登録商標）無線技術ユニット３１４間の無線通信を開始する工程を含む。この装置間のペアリングでは、開始された接続が確立し、２つの機器はデータ送受信可能待機状態となる。更に、ユーザーの機器を旅行仲間、友人、家族、同僚等の機器とペアリングすることにより、限られた機器のセットを設定し、設定した機器のセットに後で画像を配信することができる。
【００６３】
ステップ４０２におけるペアリング工程の後、本発明の実施形態では、ステップ４０４で携帯電話のユーザーによる画像撮影工程が行われる。本発明の別の実施形態によれば、ユーザーにより撮影され、電子通信機器３１２に配信される画像は、動画である。
【００６４】
ステップ４０４の画像撮影工程の後、ユーザーの携帯電話は、領域内にあるペアリングされた電子通信機器の検索工程を行う。本発明の好適な実施形態によれば、例えばBluetooth（登録商標）無線技術通信部を用いることで、携帯電話は、ユーザーの前記携帯電話の前記Bluetooth（登録商標）無線技術ユニットの通信可能範囲であると定義される領域に存在する、ペアリングされた電子通信機器を検索する。
【００６５】
Bluetooth（登録商標）無線技術の通信可能範囲内にある機器を検索することで、携帯電話はセット又はグループ内で、例えば、被写体である人物や、画像に写っている友人、画像を撮影するところを見ていた人々、画像を撮影しているユーザーの後ろに居た友人の内、友人が所有する電子通信機器、即ち、ユーザーからある距離内にいる友人を探す。なお、前記距離は、ユーザーの携帯電話のBluetooth（登録商標）無線技術通信ユニットの通信可能範囲により定義される。
【００６６】
前記範囲内におけるペアリングされた電子通信機器の検索を終えると、前記ペアリングされた機器のどれが、画像を撮影した時又はその直後に、画像の撮影現場の近くにあったかどうかを判断する。
【００６７】
どの電子通信機器が実際に撮影現場またはその近くにあったかの判断を終えると、これらの電子通信機器のユーザーに関する情報を、メタ情報を提供する工程であるステップ４１０で収集する。識別された電子通信機器は携帯電話とペアリングされているため、携帯電話は、それらのユーザーに関する情報を利用することができる。メタ情報は通常、携帯電話の電話帳に登録されたものから抽出される。
【００６８】
メタ情報を提供する工程であるステップ４１０に続いて、画像にメタ情報を追加する工程であるステップ４１２が行われる。このステップでは、携帯電話のユーザーは、画像のメタ情報に更なるテキスト情報を追加することができる。例えば、画像を撮影した場所、携帯電話のユーザーの友人以外の画像を特徴づけている人物に関するコメント等が、携帯電話のユーザーにより利用可能となる。
【００６９】
その後、取得した画像は、メタ情報と共に、領域内のペアリングされた機器に送信する工程であるステップ４１４で配信される。再び図３を参照すると、このステップでは、画像は、撮影者であるユーザーに属する携帯電話３０２にペアリングされた電子通信機器３１２に送信される。電子通信機器３１２の通信部３１４と、携帯電話３０２の通信部３０４としては、本発明の好適な実施形態においてはBluetooth（登録商標）無線技術ユニットである。機器は、画像撮影時又はその直後に、互いのBluetooth（登録商標）無線技術ユニットの通信可能範囲内に通信部が位置する場所に無ければならない。
【００７０】
携帯電話が撮影した画像を、例えば友人の電子通信機器３１２に送信できるようにするためには、本発明の好適な実施形態におけるBluetooth（登録商標）無線技術を用いた画像の送信時にも、前記電子通信機器３１２は領域内に無ければならない。
【００７１】
携帯電話３０２の通信部３０４から電子通信機器３１２の通信部３１４に送信された画像は、前記電子通信機器３１２のユーザーの制御に基づいて、制御部３１８により電子通信機器３１２のメモリ部３１６に格納することができる。
【００７２】
電子通信機器３１２の制御部３１８を用いることで、受信した画像を処理し、前記電子通信機器３１２に関連づけられた画面上で観察することができる。
【００７３】
また、図５はコンピュータプログラム製品を示す図であり、本発明ではＣＤ−ＲＯＭディスクの形態を取っており、上述した方法の処理を行うためのコンピュータプログラムエレメントを格納することができる。
【００７４】
なお、本発明は種々多様に変形することができ、上記又は下記の他の実施形態は例に過ぎない。従って、これら異なる実施形態に限定されるものではない。しかしながら、本発明の見地は、以下に続く請求項によってのみ限定される。
【００７５】
本発明の別の形態によれば、携帯通信機器のユーザーは、電話番号又は名前を入力することで電子通信機器を識別することにより、電子通信機器のセットを決定する。この情報に基づいて、ユーザーの携帯通信機器は電子通信機器のセットを決定したことを検出する。
【００７６】
本発明の別の実施形態によれば、人々が画像の提供を受ける限定領域は、Global Positioning Systems (GPS)を用いたり、ＧＳＭサービス又は三角測量を用いた場所の特定を利用して検索される。
【００７７】
また、本発明の別の実施形態によれば、Bluetooth（登録商標）無線技術通信ユニットを用いた電子通信機器への画像又は少なくとも画像へのリンクの配信は、携帯通信機器及びペアリングされた電子通信機器間のBluetooth（登録商標）無線技術接続が切断した場合、延期される。前記機器間の接続が再構築されたときに、その画像又は少なくとも画像へのリンクは、電子通信機器に配信される。
【００７８】
また、本発明の別の実施形態によれば、画像配信は、携帯電話ネットワークにおけるＭＭＳサービスを用いて行われる。
【００７９】
更に、本発明の別の実施形態によれば、画像は、撮影した画像に関係する他の通信機器を有する人々が、携帯通信機器のユーザーから送信されたリンクを用いてアクセスすることのできるウェブサイトに配信される。
【００８０】
更に、別の実施形態によれば、コンピュータプログラム製品はメモリスティックの形状を有する携帯メモリである。
【００８１】
本発明の別の実施形態によれば、上述した方法の処理を行うためのコンピュータプログラムエレメントを格納することのできるコンピュータプログラム製品は、Digital Versatile Disc (DVD)、Enhanced Digital Versatile Disc (EVD)、Mini disc (MD)、光磁気ディスク(MO)、デジタルオーディオテープ(DAT)、Universal Serial Bus (USB)メモリのいずれかである。
【００８２】
また、本発明の別の実施形態によれば、上述した方法の処理を行うためのコンピュータプログラムエレメントを格納することのできるコンピュータプログラム製品は、コンパクトフラッシュ（登録商標）、スマートメディア、ＳＤカード、ＭＭＣカード、ＸＤピクチャカード等、いずれかのタイプのフラッシュメモリカードである。
【００８３】
また、本発明の他の実施形態によれば、上述した方法の処理を行うためのコンピュータプログラムエレメントを含むコンピュータプログラムコードは、遠隔サーバからダウンロードすることができる。
【００８４】
本発明では、上述したように方法について記載したが、少なくとも携帯通信機器のメディアファイルに関連するリンクを電子通信機器のセットと共有するための携帯通信機器、コンピュータプログラム製品、及びコンピュータプログラムエレメントは、以下の利点を有する。
【００８５】
画像の共有を自動化及び高速化できる。
【００８６】
本発明は、画像にメタ情報を追加する可能性を提供することができるが、これは、画像を見るときにメタ情報タイプの情報がいくつか欠落することがしばしばあるため、有利である。
【００８７】
グループのユーザにより撮影された全ての画像を、そのユーザーからある距離内にいる友人と無線共有することができる。
【００８８】
また、画像に含まれるメタ情報から、誰がその画像に写っているかに関する情報を得ることができるという利点がある。
【００８９】
関連する情報の視点や印象を交換する前に、撮影した画像が誰に送信されたかを読むことができるという利点がある。
【図面の簡単な説明】
【００９０】
【図１】本発明の好適な実施形態における携帯電子機器を携帯電話の形態で示した図である。
【図２】本発明の好適な実施形態における携帯電子機器を示す図である。
【図３】電子通信機器と通信する携帯通信機器を表す図である。
【図４】本発明の好適な実施形態における少なくとも１つのメディアファイルを共有するための方法のフローチャートである。
【図５】本発明の好適な実施形態におけるコンピュータプログラム製品を示す図である。
【図１】
0004680937.tif 000002
【図２】
0004680937.tif 000003
【図３】
0004680937.tif 000004
【図４】
0004680937.tif 000005
【図５】
0004680937.tif 000006